(57)【特許請求の範囲】
【請求項１】
セルラーシステムの第１のネットワークノード（１１）によって行われる、ツイストペア線（２３）を備える通信チャネルを介して前記第１のネットワークノード（１１）と第２のネットワークノード（２１）との間で通信を行う方法であって、
前記ツイストペア線を備える前記通信チャネルを介して中間周波信号を受信することであって、前記第２のネットワークノードによって前記中間周波信号の周波数よりも高い周波数を有する高周波信号から変換された前記中間周波信号を前記第２のネットワークノードから受信する（５１６）ことと、
前記中間周波信号を、前記中間周波信号の周波数よりも低い周波数を有する低周波信号に変換する（５２２）ことと
を含み、前記第１のネットワークノードは、ツイストペア線を備え且つ複数の第２のネットワークノードのうちの一つを前記第１のネットワークノードに各々接続している別々の通信チャネルを介して、前記複数の第２のネットワークノードから中間周波信号を受信するために配置されており、前記方法はさらに、
前記通信チャネルの伝送品質を推定する（５１２；６１２）ことと、
第１の推定伝送品質を有する第１の通信チャネルに、前記第１の推定伝送品質よりも高い第２の推定伝送品質を有する第２の通信チャネルよりも低い中間周波数が割り当てられるように、前記推定伝送品質に基づいて前記通信チャネルに中間周波数を割り当てる（５１４；６１４）ことと
を含む方法。
【請求項２】
セルラーシステムの第１のネットワークノード（１１）によって行われる、ツイストペア線（２３）を備える通信チャネルを介して前記第１のネットワークノード（１１）と第２のネットワークノード（２１）との間で通信を行う方法であって、
受信した低周波信号を、前記低周波信号の周波数よりも高い周波数を有する中間周波信号に変換する（６１６）ことと、
次に、前記第２のネットワークノードにおいて前記中間周波信号の周波数よりも高い周波数を有する高周波信号に変換するために、前記ツイストペア線を備える前記通信チャネルを介して前記中間周波信号を前記第２のネットワークノードに送信する（６２２）ことと
を含み、前記第１のネットワークノードは、ツイストペア線を備え且つ複数の第２のネットワークノードのうちの一つを前記第１のネットワークノードに各々接続している別々の通信チャネルを介して、前記複数の第２のネットワークノードから中間周波信号を送信するために配置されており、前記方法はさらに、
前記通信チャネルの伝送品質を推定する（５１２；６１２）ことと、
第１の推定伝送品質を有する第１の通信チャネルに、前記第１の推定伝送品質よりも高い第２の推定伝送品質を有する第２の通信チャネルよりも低い中間周波数が割り当てられるように、前記推定伝送品質に基づいて前記通信チャネルに中間周波数を割り当てる（５１４；６１４）ことと
を含む方法。
【請求項３】
前記第１のネットワークノード（１１）は、広範囲の地理的領域よりも小さい地理的領域をカバーするタイプの無線基地局である第２のネットワークノード（２１）と通信を行うための広範囲の地理的領域をカバーするタイプの無線基地局である、請求項１又は２に記載の方法。
【請求項４】
任意の数の前記通信チャネルの前記ツイストペア線が同じケーブルバインダに配置されていることを検出することと、
前記同じケーブルバインダに配置されたツイストペア線を有する前記任意の数の通信チャネルのみに、異なる中間周波数を割り当てる（５１４、６１４）ことと
をさらに含む、請求項１に記載の方法。
【請求項５】
前記通信チャネル間のクロストークレベルを検出することによって、任意の数の前記通信チャネルの前記ツイストペア線が前記同じケーブルバインダに配置されていることが検出される、請求項４に記載の方法。
【請求項６】
第２のネットワークノードが、各チャネルがツイストペア線を備える別々の通信チャネルを介して各々第１のネットワークノードに接続されており且つ同じ高周波数を使用する複数のアンテナを有することを検出する（５１１；６１１）ことと、
同じ中間周波数を前記別々の通信チャネルに割り当てる（５１３；６１３）ことと
を含む、請求項１から３のいずれか一項に記載の方法。
【請求項７】
前記ツイストペア線を介する周波数依存減衰を推定する（５１８；６１８）ことと、
前記受信した中間周波信号に対して、推定される前記周波数依存減衰を補正する（５２０；６２０）ことと
をさらに含む、請求項１又は２に記載の方法。
【請求項８】
前記ツイストペア線を介する周波数依存減衰を推定する（５１８；６１８）ことは、受信した前記中間周波信号の周波数におけるパワースペクトル密度（ＰＳＤ）勾配を推定することによって完了する、請求項７に記載の方法。
【請求項９】
推定された前記勾配を、受信した前記中間周波数がこれを通じて入力される適応フィルタの特性を適応することによって補正する（５２０；６２０）、請求項８に記載の方法。
【請求項１０】
ツイストペア線を介して第２のネットワークノード（２１）と通信を行うためのセルラーシステムの第１のネットワークノード（１１）であって、
前記ツイストペア線を介して、前記第２のネットワークノードによって、中間周波信号の周波数よりも高い周波数を有する高周波信号から変換された前記中間周波信号を前記第２のネットワークノードから受信する受信機（１２３）と、
前記中間周波信号を、前記中間周波信号の周波数よりも低い周波数を有する低周波信号に変換するダウンコンバータ（１２１）と
受信した低周波数信号を、前記低周波数信号の周波数よりも高い周波数を有する中間周波信号に変換するアップコンバータ（１２２）と、
次に、前記第２のネットワークノードにおいて、前記中間周波信号の周波数よりも高い周波数を有する高周波信号に変換するために、前記ツイストペア線を介して、前記中間周波信号を前記第２のネットワークノードに送信する送信機（１２４）とを備え、ツイストペア線を備え且つ複数の第２のネットワークノードのうちの一つを前記第１のネットワークノードに各々接続している別々の通信チャネルを介して、前記複数の第２のネットワークノード（２２１、２３１、２４１）へ／から中間周波信号を送信するために前記送信機（１２４）が配置され、受信するために前記受信機（１２３）が配置されており、前記第１のネットワークノード（１１）はさらに論理ユニット（１２６）を備え、前記論理ユニットは、
前記通信チャネルの伝送品質を推定し、
第１の推定伝送品質を有する第１の通信チャネルに、前記第１の推定伝送品質よりも高い第２の推定伝送品質を有する第２の通信チャネルよりも低い中間周波数が割り当てられるように、前記推定伝送品質に基づいて前記通信チャネルに中間周波数を割り当てる
ように配置されている、第１のネットワークノード（１１）。
【請求項１１】
前記第１のネットワークノードが、広範囲の地理的領域よりも小さい地理的領域をカバーするタイプの無線基地局である第２のネットワークノードと通信を行うための前記広範囲の地理的領域をカバーするタイプの無線基地局である、請求項１０に記載の第１のネットワークノード（１１）。
【請求項１２】
前記論理ユニット（１２６）はさらに、任意の数の前記通信チャネルの前記ツイストペア線が同じケーブルバインダに配置されていることを検出し、前記同じケーブルバインダに配置されたツイストペア線を有する前記任意の数の通信チャネルのみに異なる中間周波数を割り当てるために配置されている、請求項１０又は１１に記載の第１のネットワークノード（１１）。
【請求項１３】
前記論理ユニット（１２６）が、前記通信チャネル間のクロストークレベルを検出することによって、任意の数の前記通信チャネルの前記ツイストペア線が前記同じケーブルバインダに配置されていることを検出したことを検出するために配置されている、請求項１２に記載の第１のネットワークノード（１１）。
【請求項１４】
前記論理ユニット（１２６）がさらに、前記第２のネットワークノードが、各々ツイストペア線を備える別々の通信チャネルを介して第１のネットワークノードに各々接続されており且つ同じ高周波数を使用する複数のアンテナを有することを検出することと、前記別々の通信チャネルに同じ中間周波数を割り当てることとを行うために配置されている、請求項１０から１３のいずれか一項に記載の第１のネットワークノード（１１）。
【請求項１５】
前記論理ユニット（１２６）がさらに、前記ツイストペア線を介する周波数依存減衰を推定し、前記受信した中間周波信号に対し、推定した前記周波数依存減衰を補正するために配置されている、請求項１０から１４のいずれか一項に記載の第１のネットワークノード（１１）。
【請求項１６】
前記論理ユニット（１２６）が、受信した前記中間周波信号の周波数におけるパワースペクトル密度（ＰＳＤ）勾配を推定することによって、前記ツイストペア線を介する周波数依存減衰を推定するために配置されている、請求項１５に記載の第１のネットワークノード（１１）。
【請求項１７】
受信した中間周波信号がフィルタを通して入力されるように配置された適応フィルタユニット（１２９）をさらに備え、推定した前記ＰＳＤ勾配が、推定した前記ＰＳＤ勾配にしたがって前記適応フィルタの特性を適応させることによって補正される、請求項１６に記載の第１のネットワークノード（１１）。
【請求項１８】
セルラーシステムにおいてツイストペア線（２３）を介して第１のネットワークノード（１１）と第２のネットワークノード（２１）との間で通信を行う方法であって、
前記第２のネットワークノード（２１）において、
無線インターフェースを介して受信した高周波信号を、前記高周波信号の周波数よりも低い周波数を有する中間周波信号に変換する（７０２）ことと、
前記ツイストペア線を介して、前記中間周波信号を前記第１のネットワークノードに送信する（７０４）ことと、
前記第１のネットワークノード（１１）において、
前記第２のネットワークノードから前記中間周波信号を受信する（７０６）ことと、
受信した前記中間周波信号を、前記中間周波信号の周波数よりも低い周波数を有する低周波信号に変換する（７０８）こととを含み、前記第１のネットワークノード（１１）が、ツイストペア線を備え且つ複数の第２のネットワークノードのうちの一つを前記第１のネットワークノードに各々接続している別々の通信チャネルを介して、前記複数の第２のネットワークノード（２２１、２３１、２４１）から前記中間周波信号を受信するために配置されており、前記方法はさらに、前記第１のネットワークノード（１１）において、
前記通信チャネルの伝送品質を推定することと、
第１の推定伝送品質を有する第１の通信チャネルに、前記第１の推定伝送品質よりも高い第２の推定伝送品質を有する第２の通信チャネルよりも低い中間周波数が割り当てられるように、前記推定伝送品質に基づいて前記通信チャネルに中間周波数を割り当てることと
を含む方法。
【請求項１９】
セルラーシステムにおいてツイストペア線（２３）を介して第１のネットワークノード（１１）と第２のネットワークノード（２１）との間で通信を行う方法であって、
前記第１のネットワークノード（１１）において、
受信した低周波信号を、前記低周波信号の周波数よりも高い周波数を有する中間周波信号に変換する（８０２）ことと
前記ツイストペア線を介して、前記中間周波信号を前記第２のネットワークノードに送信する（８０４）ことと、
前記第２のネットワークノード（２１）において、
前記第１のネットワークノードから前記中間周波信号を受信する（８０６）ことと、
受信した前記中間周波信号を、前記中間周波信号の周波数よりも高い周波数を有する高周波信号に変換する（８０８）ことと
を含み、前記第１のネットワークノード（１１）が、ツイストペア線を備え且つ複数の第２のネットワークノードのうちの一つを前記第１のネットワークノードに各々接続している別々の通信チャネルを介して、前記複数の第２のネットワークノード（２２１、２３１、２４１）へ前記中間周波信号を送信するために配置されており、前記方法はさらに、前記第１のネットワークノード（１１）において、
前記通信チャネルの伝送品質を推定することと、
第１の推定伝送品質を有する第１の通信チャネルに、前記第１の推定伝送品質よりも高い第２の推定伝送品質を有する第２の通信チャネルよりも低い中間周波数が割り当てられるように、前記推定伝送品質に基づいて前記通信チャネルに中間周波数を割り当てることと
を含む方法。
【請求項２０】
ツイストペア線（２３）を介して、第１のネットワークノード（１１）と第２のネットワークノード（２１）との間で通信を行うために配置された前記第１のネットワークノードと第２のネットワークノードとを備えるセルラーシステムであって、
前記第１のネットワークノード（１１）が、
前記ツイストペア線を介して、前記第２のネットワークノードから中間周波信号を受信する受信機（１２３）と、
受信した前記中間周波信号を、前記中間周波信号の周波数よりも低い周波数を有する低周波信号に変換するダウンコンバータ（１２１）と、
低周波信号を、前記低周波信号の周波数よりも高い周波数を有する中間周波信号に変換するアップコンバータ（１２２）と、
前記ツイストペア線を介して、前記中間周波信号を前記第２のネットワークノードに送信する送信機（１２４）と
を備え、
前記第２のネットワークノード（２１）が、
前記ツイストペア線を介して、前記第１のネットワークノードから中間周波信号を受信する受信機（１３４）と、
受信した前記中間周波信号を、前記低周波信号の周波数よりも高い周波数を有する高周波信号に変換するアップコンバータ（１３２）と、
前記高周波信号を、前記高周波信号の周波数よりも低い周波数を有する中間周波信号に変換するダウンコンバータ（１３１）と、
前記ツイストペア線を介して、前記中間周波信号を前記第２のネットワークノードに送信する送信機（１３３）と
を備え、前記第１のネットワークノード（１１）の前記受信機（１２３）が、ツイストペア線を備え且つ複数の第２のネットワークノードのうちの一つを前記第１のネットワークノードに各々接続している別々の通信チャネルを介して、前記複数の第２のネットワークノード（２２１、２３１、２４１）から前記中間周波信号を受信するために配置されており、前記第１のネットワークノード（１１）の前記送信機（１２４）が、前記別々の通信チャネルを介して、前記複数の第２のネットワークノード（２２１、２３１、２４１）へ前記中間周波信号を送信するために配置されており、前記第１のネットワークノード（１１）がさらに、
前記通信チャネルの伝送品質を推定し、
第１の推定伝送品質を有する第１の通信チャネルに、前記第１の推定伝送品質よりも高い第２の推定伝送品質を有する第２の通信チャネルよりも低い中間周波数が割り当てられるように、前記推定伝送品質に基づいて前記通信チャネルに中間周波数を割り当てる
ように配置されているセルラーシステム。
【発明の詳細な説明】
【技術分野】
【０００１】
本発明は概して、ツイストペア線を介して第１のネットワークノードと第２のネットワークノードとの間で通信を行うための方法及びネットワークノードに関するものである。
【背景技術】
【０００２】
セルラーシステムでは、携帯ネットワークの容量をさらに上げるために、異機種ネットワークが用いられている。代表的な異機種ネットワークの例を図１に示す。図１の異機種ネットワークは、マクロセル１２の地理的領域をカバーするマクロ基地局（ＢＳ１１）と、ピコセル２２、３２の地理的領域をそれぞれカバーする２つのピコＢＳ２１、３１を備える。図から分かるように、マクロセルのサービスエリアはピコセルのサービスエリアよりもずっと大きい。このため、ピコＢＳの通信はマクロＢＳの通信よりも出力が弱い。さらに、ピコＢＳはマクロＢＳを介してバックホール化されている、すなわち、ピコＢＳは携帯ネットワークにリンク２３、３３を介してそれぞれ接続されている。リンクは物理的リンク、マイクロ波リンク、無線リンク等であってよい。
【０００３】
ピコＢＳはトラフィックの需要が高い小規模の領域、例えば事務所等の屋内環境等に配備することができる。このような高需要領域では、ピコＢＳからマクロＢＳまでのバックホール接続においてファイバ接続を見つけることは困難でありうる。このようなピコＢＳにファイバ・インフラストラクチャを配備すると、費用及び時間がいずれもかかる。多くの高需要領域、例えばオフィスビル等では、例えばＤＳＬ回線、又はＣａｔ５ケーブル等の銅線等の既存のツイストペア線が存在しうる。既存のツイストペア線を、ピコＢＳとマクロＢＳとの間のバックホール接続に再利用できれば有利である。
【０００４】
さらに、ピコセルの異機種ネットワークの配備は主に２種類ある。第１の種類は、個別ピコセル配備と呼ばれる。この場合ピコＢＳは、出力が低く、ベースバンドの処理能力が小さい簡易化したマクロＢＳとして機能する。このため、個別ピコセル配備において、受信信号はベースバンドに変換され、ピコＢＳにおいて、ＩＰバックホール通信のみを必要とするように少なくとも部分的に処理される。
【０００５】
第２の種類の異機種ネットワークの配備は、遠隔無線ユニットベース（ＲＲＵベース）のピコセルと呼ばれる。ここで、ピコＢＳは、例えばＩＱサンプリングを行う無線周波数サブシステムのみを備え、ＲＦ信号は、マクロＢＳの集中型ベースバンドユニットへ送られるベースバンド信号に変換される。ＲＲＵベースのピコセルについては、いくつかのピコＢＳから受信した信号の結合処理がマクロＢＳのベースバンドユニットにおいて達成されうるため、ネットワーク性能が改善される。従来技術によれば、ＲＦ信号はベースバンド信号に変換され、このベースバンド信号は、共通公衆無線インターフェース（ＣＰＲＩ）を介してマクロＢＳのベースバンドユニットへ送られる。信号はベースバンドユニットにおいて処理されデコーディングされる。ＣＰＲＩを使用する時は、ＲＦ信号のオーバーサンプリングが実施され、ベースバンドにおいてビットで伝達される。これには、通常少なくとも１．２５ギガビット／秒の非常に高い容量と、通常２５０μｓ未満の非常に短いレイテンシが必要である。また、伝達するデータがない場合でも、オーバーサンプリングを実施しなければならない。この高い容量要件と、短いレイテンシが要求されるために、ＣＰＲＩをＲＲＵベースのピコＢＳとマクロＢＳとの間のツイストペア線を介して信号を伝達させるために使用するのは不可能である、又は少なくとも不利である。このため、ピコＢＳとマクロＢＳとの間での信号の伝達、特にＲＲＵベースのピコＢＳとマクロＢＳとの間の通信には別の解決策が必要である。
【発明の概要】
【０００６】
本発明の目的は、上記で解説した問題及び論点の少なくとも幾つかに対処することである。さらに具体的には、本発明の目的は、第１のネットワークノードと第２のネットワークノードとの間のツイストペア線を介した通信を実現させることであり、この通信は少なくとも下記の利点：高い伝達容量、低い伝達損失、及び低いレイテンシ感度のうちの少なくとも一つを有する。
【０００７】
これらの目的及びその他は、添付の特許請求の範囲に規定される方法及び装置を使用することによって達成することが可能である。
【０００８】
第１の態様によれば、セルラーシステムの第１のネットワークノードによって行われる、ツイストペア線を備える通信チャネルを介して、第１のネットワークノードと第２のネットワークノードとの間で通信を行うための方法が提供される。本方法は、ツイストペア線を備える通信チャネルを介して、第２のネットワークノードから中間周波信号を受信することであって、中間周波信号は第２のネットワークノードによって、中間周波信号の周波数よりも高い周波数を有する高周波信号から変換されている、中間周波信号を受信することと、中間周波信号を、中間周波信号の周波数よりも低い周波数を有する低周波信号に変換することとを含む。この方法は、第１のネットワークノードにおいてアップリンク通信を行うことに関するものである。
【０００９】
第２の態様によれば、セルラーシステムの第１のネットワークノードによって行われる、ツイストペア線を備える通信チャネルを介して、第１のネットワークノードと第２のネットワークノードとの間で通信を行うための方法が提供される。この方法は、受信した低周波信号を、低周波信号の周波数よりも高い周波数を有する中間周波信号に変換することと、次に、第２のネットワークノードにおいて中間周波信号の周波数よりも高い周波数を有する高周波信号に変換するために、中間周波信号を、ツイストペア線を備える通信チャネルを介して第２のネットワークノードへ送信することとを含む。この方法は第１のネットワークノードにおいてダウンリンク通信を行うことに関するものである。
【００１０】
第３の態様によれば、ツイストペア線を介して第２のネットワークノードと通信を行うための、セルラーシステムの第１のネットワークノードが提供される。第１のネットワークノードは、ツイストペア線を介して、第２のネットワークノードから中間周波信号を受信する受信機であって、中間周波信号は、第２のネットワークノードによって、中間周波信号の周波数よりも高い周波数を有する高周波信号から変換されている、受信機と、中間周波信号を、中間周波信号の周波数よりも低い周波数を有する低周波信号に変換するためのダウンコンバータとを備える。第１のネットワークノードは、受信した低周波信号を、低周波信号の周波数よりも高い周波数を有する中間周波信号に変換するためのアップコンバータと、次に、第２のネットワークノードにおいて、中間周波信号の周波数よりも高い周波数を有する高周波信号に変換するために、ツイストペア線を介して、中間周波信号を第２のネットワークノードに送信するための送信機も備える。
【００１１】
第４の態様によれば、セルラーシステムでツイストペア線を介して第１のネットワークノードと第２のネットワークノードとの間で通信を行うための方法が提供される。この方法は、第２のネットワークノードにおいて、無線インターフェースを介して受信した高周波信号を、高周波信号の周波数よりも低い周波数を有する中間周波信号に変換することと、ツイストペア線を介して、中間周波信号を第１のネットワークノードへ送信することとを含む。この方法はさらに、第１のネットワークノードにおいて、第２のネットワークノードから中間周波信号を受信することと、受信した中間周波信号を、中間周波信号の周波数よりも低い周波数を有する低周波信号に変換することとを含む。この方法は、第１及び第２のネットワークノードにおけるアップリンク方向の通信の扱いについて説明するものである。
【００１２】
第５の態様によれば、セルラーシステムにおいて、ツイストペア線を介して第１のネットワークノードと第２のネットワークノードとの間で通信を行う方法が提供される。この方法は、第１のネットワークノードにおいて、受信した低周波信号を、低周波信号の周波数よりも高い周波数を有する中間周波信号に変換することと、ツイストペア線を介して、中間周波信号を第２のネットワークノードに送信することとを含む。この方法はさらに、第２のネットワークノードにおいて、第１のネットワークノードから中間周波信号を受信することと、受信した中間周波信号を、中間周波信号の周波数よりも高い周波数を有する高周波信号に変換することとを含む。この方法は、第１及び第２のネットワークノードにおけるダウンリンク方向の通信の扱いについて説明するものである。
【００１３】
第６の態様によれば、ツイストペア線を介して第１のネットワークノードと第２のネットワークノードとの間で通信を行うために配置された、第１のネットワークノードと第２のネットワークノードとを備えるセルラーシステムが提供される。第１のネットワークノードは、ツイストペア線を介して、第２のネットワークノードから中間周波信号を受信するための受信機と、受信した中間周波信号を、中間周波信号の周波数よりも低い周波数を有する低周波信号に変換するためのダウンコンバータと、低周波信号を、低周波信号の周波数よりも高い周波数を有する中間周波信号に変換するためのアップコンバータと、ツイストペア線を介して、中間周波信号を第２のネットワークノードへ送信するための送信機とを備える。第２のネットワークノードは、ツイストペア線を介して、第１のネットワークノードから中間周波信号を受信するための受信機と、受信した中間周波信号を、低周波信号の周波数よりも高い周波数を有する高周波信号に変換するためのアップコンバータと、高周波信号を、高周波信号の周波数よりも低い周波数を有する中間周波信号に変換するためのダウンコンバータと、ツイストペア線を介して、中間周波信号を第２のネットワークノードへ送信するための送信機とを備える。
【００１４】
上記の方法及びネットワークノードは、異なる任意の実施形態に従って構成し、実行することができる。ある可能な実施形態では、第１のネットワークノードは、ツイストペア線を備える別々の通信チャネルを介して、中間周波信号を複数の第２のネットワークノードへ送信する、又は複数の第２のネットワークノードから受信するように配置され、各通信チャネルは、複数の第２のネットワークノードのうちの一つを第１のネットワークノードに接続させる。この方法はさらに、通信チャネルの送信品質を推定することと、第１の推定送信品質を有する第１の通信チャネルに第１の推定送信品質よりも高い第２の推定送信品質を有する第２の通信チャネルよりも低い中間周波数が割り当てられるように、推定送信品質に基づいて通信チャネルに中間周波数を割り当てることを含む。
【００１５】
この解決策のさらに可能な特徴及び利点は、下記の詳細説明から明らかになる。
【００１６】
ここで本解決策を、例示の実施形態を用いて、添付の図面を参照しながらさらに詳細に説明する。
【図面の簡単な説明】
【００１７】
【図１】異機種ネットワークアーキテクチャを示す概略ブロック図である。
【図２】一実施形態による、ツイストペア線を介して第１のネットワークノードと第２のネットワークノードとの間で送信するためのアーキテクチャを示す概略ブロック図である。
【図３】ＲＦからベースバンドへのダウンコンバージョンを示すグラフである。
【図４】異機種ネットワークに接続された移動局用のエアチャネル、及びツイストペア線チャネルを含む有効チャネルを示す概略ブロック図である。
【図５】図４に示す有効チャネルを介した送信の、周波数に関する信号対ノイズ比の平均を示すグラフである。
【図６】別々のツイストペア線を介して、第１のＢＳと通信を行う複数の第２のＢＳの概略ブロック図である。
【図７】鎖トポロジーにおいて接続されたＢＳの概略ブロック図である。
【図８】各アンテナがツイストペア線を介して第１のＢＳに接続されている、複数のアンテナを有する第２のＢＳの概略ブロック図である。
【図９】一実施形態による、第１のネットワークノードにおけるアップリンク方向の通信を提供するための方法のフロー図である。
【図１０】一実施形態による、第１のネットワークノードにおけるダウンリンク方向の通信を提供するための方法のフロー図である。
【図１１】一実施形態による第１のネットワークノードを示す概略ブロック図である。
【図１２】一実施形態による第２のネットワークノードを示す概略ブロック図である。
【図１３】セルラーシステムにおけるアップリンク方向の通信を提供するための方法のフロー図である。
【図１４】セルラーシステムにおけるダウンリンク方向の通信を提供するための方法のフロー図である。
【図１５】一実施形態によるネットワークアーキテクチャを示す概略ブロック図である。
【図１６】別の実施形態による別のネットワークアーキテクチャを示す概略ブロック図である。
【発明を実施するための形態】
【００１８】
簡単に説明すると、ツイストペア線を介した第１のネットワークノードと第２のネットワークノードとの間の通信を達成するための解決策が提供されており、この通信は下記の利点：高い伝達容量、低い伝達損失、及び低いレイテンシ感度のうちの少なくとも一つを有する。第１のネットワークノードは第１基地局、例えばマクロ基地局であってよく、第２のネットワークノードは、第２基地局、例えばピコ基地局であってよい。これらの利点（又はこれらのうちの少なくとも一つ）は、ツイストペア線を介して第１のネットワークノードと第２のネットワークノードとの間で信号を中間周波数（ＩＦ）で送ることによって達成しうる。さらに、ＩＦ信号は、第１のネットワークノードにおいてベースバンド周波数に、及びベースバンド周波数から変換され、ＩＦ信号は、第２のネットワークノードにおいて、高（無線）周波数に、及び高（無線）周波数から変換される。ＩＦ周波数において第１基地局と第２基地局との間で信号を送信することによって、高（無線）周波数において送信するのと比べて伝送損失が低くなる。さらに、例えばＣＰＲＩを介してベースバンド周波数において信号を送信するのと比べて、伝送容量は小さくて済み、ＣＰＲＩによる方法と比べてレテンシ感度が低くなる。
【００１９】
図２は、ツイストペア線２３を介して第１のＢＳ１１と第２のＢＳ２１との間で信号を送信するための、一実施形態によるシステムを示す。第１のＢＳ１１は、信号をベースバンドユニット１１０から送受信するための送受信機（ＴＲＸ）１２５を備える。ＴＲＸは、別々の送受信ユニットと受信ユニットによって実現することも可能である。さらに、第１のＢＳ１１は、ベースバンド周波数から中間周波数に信号を変換するアップコンバータ１２２と、中間周波数からベースバンド周波数に信号を変換するダウンコンバータ１２１とを備える。第１のＢＳは、ツイストペア線２３を介してＩＦ信号を第２基地局２１へ／から送受信する送信機（ＴＸ）１２４及び受信機（ＲＸ）１２３も備える。
【００２０】
第２のＢＳ２１は、エアインターフェース上をアンテナ１３６を介してＵＥ１４０へ信号を送受信するＴＲＸ１３５を備える。ＴＲＸ１３５は、別々のＴＸ及びＲＸユニットによって実現可能である。さらに、第２のＢＳ２１は、中間周波数から高周波数に信号を変換するアップコンバータ１３２と、高周波数から中間周波数に信号を変換するダウンコンバータ１３１とを備える。第２のＢＳは、ツイストペア線２３を介してＩＦ信号を第１基地局１１へ／から送受信するＴＸ１３３とＲＸ１３４も備える。
【００２１】
実施形態によれば、信号がダウンリンク方向（無線ネットワークからＵＥ）に送信される時、信号は、ベースバンドユニット１１０から第１の基地局のＴＲＸ１２５へベースバンド信号として送信される。次に信号は、第１基地局のアップコンバータ１２２によってＩＦ信号に変換され、ＩＦ信号は、ツイストペア線２３を介して第１のＢＳのＴＸ１２４によって第２のＢＳ２１へ送信され、送信されたＩＦ信号は第２のＢＳのＲＸ１３４において受信される。第２のＢＳにおいてＩＦ信号は次に、アップコンバータ１３２によって高周波信号に変換され、高周波信号はエアインターフェース上をアンテナ１３６を介して高周波数無線信号としてＴＲＸ１３５によってＵＥ１４０へ送信される。
【００２２】
同様に、信号がアップリンク方向（ＵＥから無線ネットワーク）に送信される時、信号は高周波数無線信号としてＵＥ１４０からエアインターフェースを介して第２の基地局２１のアンテナ１３６へ送信され、第２の基地局のＴＲＸ１３５において受信される。その後、高周波信号は第２のＢＳのダウンコンバータ１３１によってＩＦ信号へ変換され、ＩＦ信号はツイストペア線２３を介して第２のＢＳのＴＸ１３３によって送信される。さらに、第１の基地局において、ＩＦ信号は第１のＢＳのＲＸ１２３において受信され、ダウンコンバータ１２１によって低周波信号に変換されてＴＲＸ１２５によってベースバンドユニット１１０へ送信される。
【００２３】
実施形態によれば、図２の第１のＢＳ１１は、実際にはＩＦと低周波数との間で信号をアップ方向及びダウン方向に変換するステップ、また場合により異なる第１のＢＳを第２のＢＳ（後に図示する）へ接続する異なるリンクからの信号を集約するステップのみを行う集約及び／又は変換ユニットを有する簡易化されたＢＳ等であってよい。言い換えれば、エアインターフェースを介して信号を送受信するＢＳのそれ自体に対する機能は、簡易化されたＢＳとは別に配置された別のネットワークノードにおいて実現可能である。
【００２４】
高無線周波数（ＲＦ）からＩＦへ、さらに低いベースバンドの周波数（ＢＢ）への変換ダウンリンクもまた、周波数スペクトルの異なる周波数を示す図３のグラフに示されている。
【００２５】
低周波数は、ベースバンド周波数（すなわちおおよそ０Ｈｚ）であってよい。中間周波数は、３．５〜２５０ＭＨｚの周波数であってよい。中間周波数の選択は、線の質、ノイズ源、必要とされる到達範囲、バンド幅、必要とされる異なるＩＦ数によって変化しうる。高周波数は通常ＵＨＦバンド（３００ＭＨｚ〜３ＧＨｚ）又はそれより高くてよい。
【００２６】
図４は、第１のＢＳ２１を介したユーザ装置（ＵＥ１４０）と第２のＢＳ１１との間の有効通信チャネルを示す図である。有効チャネルは、ツイストペア線を介した第１のＢＳ１１と第２のＢＳ２１との間の接続部であるツイストペアチャネル２３と、エアインターフェースを介したＵＥ１４０と第２のＢＳ２１との間の接続部であるエアチャネル２５とを含む。ツイストペアチャネルについては、線が長ければ長いほど、チャネルはさらに分散的になる。言い換えると、線が長ければ長いほど、ツイストペアチャネルの信号対ノイズ比（ＳＮＲ）は低くなる。ツイストペア線が短いままであれば、ツイストペアチャネルのＳＮＲは普通エアチャネルのＳＮＲよりはるかに高くなる。その場合、有効チャネルのＳＮＲは、エアチャネルのＳＮＲとほぼ同じである。しかし、ツイストペアチャネルを介したＳＮＲも、線の長さからの影響を除けば、周波数に左右される。周波数が高いほど、ＳＮＲは低くなる。
【００２７】
図５のグラフでは、ツイストペア線を介して使用される異なる周波数、ツイストペア線の異なる長さ、及び異なるエアチャネルのＳＮＲ（ＳＮＲａ）に対する有効チャネルの平均ＳＮＲが示される。基本的に、グラフは、ツイストペアチャネルによって引き起こされたＳＮＲ損失が、周波数が上がり、線の長さが長くなるにつれて増加することを示す。線の長さ１００メートルについて、ツイストペアチャネルを介した有効ＳＮＲの低下は、図示したすべての周波数（２０〜１６０ＭＨｚ）に対して小さい。例えば、１６０〜１８０ＭＨｚの周波数バンドで見られる有効ＳＮＲの低下はわずか１．５ｄＢである。しかしながら、線の長さが１５０メートルの場合、ＳＮＲは周波数が高くなるにつれ低下し始める。このグラフは、ツイストペア線を介して信号を送信するためにＲＦ周波数の代わりに中間周波数を使用することの利点を示しうる。加えて、このグラフは、特に線が長い場合に、ツイストペア線を介した信号の送信に高いＩＦを使用するよりも、低いＩＦを使用した方が有利でありうることを示す。
【００２８】
第１ＢＳを複数の第２ＢＳに接続させることができる。このような、第１ＢＳ  ２１１が３つの異なる第２ＢＳ：ＢＳ２ａ  ２２１、ＢＳ２ｂ  ２３１、ＢＳ２ｃ  ２４１に接続されるシナリオは、図６に示されている。複数の第２の基地局が、別々のケーブルバインダに配置されている別々のツイストペア線を使用して通信チャネルを介して第１の基地局に接続されている場合、第１のツイストペア線における送信から別のツイストペア線における送信まで全く乱れがない、又は少なくとも非常にわずかな乱れしかない。この場合、第１の基地局と複数の第２の基地局との間の通信に同じ周波数を使用することができる。しかしながら、図６に示すように、第２の基地局ＢＳ２ａ  ２２１及びＢＳ２ｂ  ２３１は、共通ケーブルバインダ２３０を使用してツイストペア線を介して第１ＢＳ  ２１１に接続される。共通ケーブルバインダが使用された場合、ツイストペア線間のクロストークにより、ツイストペア線上のＳＮＲを大幅に減少させる可能性がある。クロストークは遠端クロストーク（ＦＥＸＴ）及び近端クロストーク（ＮＥＸＴ）の形態でありうる。ＦＥＸＴ及びＮＥＸＴはいずれもＳＮＲを減らしうる。結果として、２つの別々の通信チャネルが、同じケーブルバインダに配置された２つの別々のツイストペア線を使用していると検出された場合、同じケーブルバインダに配置されたツイストペア線を使用して別々の通信チャネルの信号を送信するために、異なるＩＦ周波数を割り当てるようにする。
【００２９】
図７に、第２ＢＳが鎖トポロジーで第１ＢＳに接続されうる別のシナリオが示されている。言い換えれば、第２のＢＳ（ＢＳ２ｅ  ２６１）は、別の第２ＢＳ（ＢＳ２ｄ）と第１ＢＳとの間で通信を行うための第１の通信チャネルが少なくとも部分的に、ＢＳ２ｅと第１ＢＳとの間で通信を行うための第２の通信チャネルと同じツイストペア線を使用するようにＢＳ２ｄを介して第１ＢＳ  ２１１に接続される。すなわち、ＢＳ２ｄとＢＳ２ｅから／への信号は、同じ線において多重化される。
【００３０】
図７に示すように、異なる通信チャネルが同じツイストペア線上で多重化されるべき信号を通信する場合、またツイストペア線が同じケーブルバインダに配置された場合、異なる第２ＢＳと第１ＢＳとの間で通信を行うために使用される通信チャネルに対し異なる周波数を割り当てる必要がある。
【００３１】
上記の周波数の割り当ては第１ＢＳによって制御されることが好ましい。一実施形態によれば、第１ＢＳは、異なる第２ＢＳを第１ＢＳに接続している異なる通信チャネルの伝送品質を推定する。その後、第１ＢＳは、別の通信チャネルよりも伝送品質の低い通信チャネルに別の通信チャネルよりも低い中間周波数が割り当てられるように、異なる通信チャネルに周波数を割り当てる。伝送品質は、線の長さ、回線の減衰、クロストークレベル、ノイズレベル、クロストークの数等のツイストペア線の状態の検出であってよい。伝送品質の低いチャネルに低いＩＦ周波数を割り当てて、品質が低いチャネルに（図５に示す）ＳＮＲが通常高い周波数を割り当てることによって、システム全体の品質がさらに平均化される。
【００３２】
別の実施形態によれば、第１のＢＳは、任意の数の通信チャネルのツイストペア線が同じケーブルバインダに配置されていることを検出し、同じケーブルバインダに配置されたツイストペア線を有する任意の数の通信チャネルに異なる周波数を割り当てる。さらに、通信チャネル間のクロストークレベルを検出することによって、任意の数の通信チャネルのツイストペア線が同じケーブルバインダに配置されていることを検出することができる。ツイストペア線が同じケーブルバインダに配置されている場合、２つの通信チャネル間のクロストークレベルは高く、ツイストペア線が異なるケーブルバインダに配置されている場合、クロストークレベルは大幅に低い。  
【００３３】
一実施形態によれば、周波数は、高減衰の通信チャネルに高減衰の通信チャネルよりも低い中間周波数が割り当てられるように、推定されたツイストペア線の減衰に基づいて割り当てることができる。周波数を割り当てる時にクロストークレベルを考慮しないことによって、周波数割り当ての複雑性は削減される。ツイストペア線の減衰は、例えばツイストペア線の長さに基づいて、又は受信信号の強度を送信信号の強度と比べることによって推定することができる。第１基地局の複雑性を削減するために、線の状態は例えば片端線路試験（ＳＥＬＴ）を介して第２基地局によって推定される。この検出は、第１ＢＳが定期的に第２ＢＳへ信号を送り返す一又は複数の試験帯域を用いて実施することも可能である。
【００３４】
今日、例えばピコセルには多くの場合、無線システムのマルチ入力マルチ出力（ＭＩＭＯ）伝送をサポートするためにマルチアンテナが設けられている。図８は、それぞれ一つのツイストペア線を介して第１基地局２１１にバックホール化された２つのアンテナを有する基地局ＢＳ２ｆ  ２７１の一例を示す。ツイストペア線は共通のケーブルバインダ２４１に配置することができる。ＭＩＭＯ伝送においては、エアインターフェースを介した各アンテナからのＵＥに向けての送信に同じ周波数帯域が使用される。上記の場合、２つのアンテナにおいて受信されたエアチャネル間のエアインターフェースにはクロストークがあり、同じケーブルバインダに配置されたツイストペア線の間にもクロストークがある。アンテナ間のクロストークは通常、ツイストペア線間でありうるクロストークよりもかなり強いものである。ＭＩＭＯ送受信機はすでにエアチャネル間のクロストークを処理しているため、ツイストペアチャネル間の追加のクロストークも処理することが可能である。言い換えれば、ＭＩＭＯ送受信機がエアチャネルのクロストークを補正する時には、ツイストペア線間のクロストークはすでに補正されているということである。
【００３５】
一実施形態によると、第２ＢＳ  ２７１において複数のアンテナがあり、エアインターフェースを介したアンテナから／への通信が同じ高周波数を使用し、第２ＢＳ  ２７１の異なるアンテナからの第１ＢＳ  ２１１に向けての通信が異なるツイストペア線を使用すると検出された場合、同じ中間周波数を別々のツイストペア通信チャネルに割り当てることが提案されている。しかしながら、ツイストペア線がアンテナの数よりも少ない場合、ツイストペア通信チャネルのうちの幾つかは同じツイストペア線を使用する必要がある。その場合、上記の共用ツイストペア線を介する通信では、例えば周波数分割多重化（ＦＤＭ）技術を使用して周波数を多重化する必要がある。
【００３６】
図２のシステムなどのシステムでは、ツイストペア線２３を介して送信されるＩＦ信号の減衰は、周波数が高くなるごとに増加する。結果的に、ツイストペア線を介して送信されるＩＦ信号は、受信信号のパワースペクトル密度（ＰＳＤ）が周波数にわたって低下するような影響を受ける。しかしながら、無線信号ＰＳＤは好ましくは、３ＧＰＰ要件に追随するために平坦であるべきである。そうでない場合、ＵＥと第１ＢＳの受信機において性能が劣化しうる。一実施形態によれば、ツイストペア線を介した周波数における周波数依存減衰が検出され、ＰＳＤが平坦になるように補正される。例えば、周波数における周波数依存減衰は、受信信号のＰＳＤ勾配を検出することによって検出することができる。あるいは、ツイストペア線を介した周波数依存減衰は、例えば他の周波数（例えば反対方向又は特殊試験信号）から推定される減衰の外挿に基づいて帯域外で検出することができる。
【００３７】
一実施形態によれば、周波数依存減衰の推定及び補正を実現するために、ＰＳＤ推定ユニットと適応フィルタを第１基地局及び／又は第２基地局の受信機に実装することができる。ＰＳＤ推定器は、受信信号の勾配を推定し、推定値を適合フィルタに入力する。フィルタは例えばデジタルフィルタ又はアナログフィルタであってよい。適応フィルタは次に、勾配の補正のためにそのフィルタ特性を変える。例えば環境の温度変化等が原因で、ツイストペア線の特性に起こる全ての変化を監視することができるように、上記アルゴリズムを一定期間ごとに実行することができる。フィルタは好ましくは、出力信号のパワーが入力信号のパワーとほぼ等しく維持されるように、周波数ドメインにＰＳＤ勾配を適応すべきである。
【００３８】
別の実施形態によれば、管理及び制御チャネルは、第１ＢＳと複数の第２ＢＳとの間の周波数割り当て通信のために定義される。一例によれば、管理及び制御チャネルはツイストペア線を介して低周波（帯域外）チャネルを使用することができる。上記低周波チャネルには、一ペア及びマルチペア操作の両方をサポートするデジタル加入者回線（ＤＳＬ）技術（例えばＡＤＳＬ（Ａｓｙｍｍｅｔｒｉｃ  ＤＳＬ）又はＶＤＳＬ（Ｖｅｒｙ  ｈｉｇｈ  ｒａｔｅ  ＤＳＬ）が使用することができる。ＳＥＬＴの機能が搭載されたＤＳＬの技術を、ループ条件の検出に使用することができる。ＷＩＦＩ及び／又は任意の他の無線システムに任意のＩＰバックホールが必要である場合、このチャネルをＩＰバックホール化に使用することもできる。ＤＳＬに加えて、一ペア操作をサポートするイーサネットベース技術に使用することができる。上述した技術はＩＦ帯域よりも低い周波数帯域で機能するため、ツイストペア線を介した無線スペクトルを干渉しない。別の実施例によれば、管理及び制御チャネルは無線チャネルを使用することができる。第２ＢＳ、例えばピコＢＳには、バックホール化又はデータ転送のために他の無線機能（ＷＩＦＩ、マイクロ波）を設けることができる。これらのチャネルを次に、管理及び制御データを転送するのにも使用することができる。
【００３９】
さらに、アップ／ダウンコンバージョン操作に周波数の同期化が必要となりうる。第２ＢＳのクロックは、第１ＢＳのクロックと同期化させることが必要である。これは、第１ＢＳから第２ＢＳへ狭帯域（帯域外）のクロック信号を送信することによって完了させることができる。あるいは、これは、同期信号又は情報を管理及び制御チャネルを介して転送することによって完了させることができ、これは管理及び制御チャネルについて上述したように有線チャネル又は無線チャネルを通して完了させることができる。
【００４０】
図９には、ツイストペア線２３を備える通信チャネルを介して第１のネットワークノード１１と第２のネットワークノード２１との間にアップリンク方向の通信を提供する、セルラーシステムの第１のネットワークノード１１によって行われる方法が示される。この方法は、ツイストペア線を備える通信チャネルを介して、中間周波信号の周波数よりも高い周波数を有する高周波信号から第２のネットワークノードによって変換された中間周波信号を第２のネットワークノードから受信する５１６ことと、中間周波信号を、中間周波信号の周波数よりも低い周波数を有する低周波信号に変換する５２２こととを含む。
【００４１】
一実施形態（図６も参照）によれば、第１のネットワークノード１１は、ツイストペア線を備える別々の通信チャネルを介して複数の第２のネットワークノード２２１、２３１、２４１から中間周波信号を受信するように配置され、各通信チャネルは、複数の第２のネットワークノードのうちの一つを第１のネットワークノードに接続する。この実施形態では、本方法は、通信チャネルの伝送品質を推定する５１２ことと、第１の推定伝送品質を有する第１の通信チャネルに、第１の推定伝送品質よりも高い第２の推定伝送品質を有する第２の通信チャネルよりも低い中間周波数が割り当てられるように、推定伝送品質に基づいて通信チャネルに中間周波数を割り当てる５１４こととを含むことができる。
【００４２】
別の通信チャネルよりも良くない伝送品質を有する通信チャネルに、別の通信チャネルよりも低い中間周波数が割り当てられるように周波数を割り当てることによって、伝送品質の良くない通信チャネルにおいてＳＮＲを改善することが可能である。また、異なる通信チャネルについても、伝送品質がさらに良くなりうる。
【００４３】
割り当てられた中間周波数の情報は次に、第１基地局によって各第２基地局に送信され、第２基地局は第１基地局に送信されるべき高周波信号を割り当て周波数の中間周波信号に変換し、割り当て周波数にしたがって中間周波信号を送信するように指示される。第１基地局で受信した中間周波信号は次に、各通信チャネルにおいて割り当てられた中間周波数で受信され５１６、受信された中間周波信号は低周波信号に変換５２２される。
【００４４】
一実施形態によれば、第１のネットワークノード１１は、第２のネットワークノード２１と通信を行うために広範囲の地理的領域をカバーする種類の無線基地局であり、第２ネットワークノード２１は、広範囲の地理的領域よりも狭い範囲の地理的領域をカバーするタイプの無線基地局である。
【００４５】
別の実施形態によれば、本方法はさらに、任意の数の通信チャネルのツイストペア線が同じケーブルバインダに配置されていることを検出することと、同じケーブルバインダに配置されているツイストペア線を有する任意の数の通信チャネルのみに異なる中間周波数を割り当てる５１４こととを含む。さらに、本方法は、通信チャネル間のクロストークレベルを検出することによって、任意の数の通信チャネルのツイストペア線が同じケーブルバインダに配置されていることを検出することができる。
【００４６】
さらに別の実施形態によれば、本方法はさらに、ツイストペア線を介する周波数依存減衰を推定する５１８ことと、受信信号に対して、推定された周波数依存減衰を補正する５２０こととを含む。ツイストペア線を介する周波数依存減衰を推定する５１８ことは、受信した中間周波信号の周波数におけるパワースペクトル密度（ＰＳＤ）勾配を推定することによって完了させることができる。推定された勾配は、受信した中間周波数が入力される適応フィルタの特性を適用することによって補正され５２０うる。
【００４７】
さらに別の実施形態によれば、本方法はさらに、第２のネットワークノードが、それぞれ別々の通信チャネルを介して第１のネットワークノードに接続されており、各チャネルはツイストペア線を備える、同じ高周波数を使用する複数のアンテナを有することを検出する５１１ことと、同じ中間周波数を別々の通信チャネルに割り当てる５１３こととを含む。したがって、同じ中間周波数を再利用することができ、これにより帯域幅が他の（バックホール化）通信リンクのために確保される。
【００４８】
図１０には、セルラーシステムの第１のネットワークノード１１によって行われる、ツイストペア線２３を介して、第１のネットワークノード１１と第２のネットワークノード２１との間にダウンリンク方向の通信を提供する方法が示されている。本方法は、受信した低周波信号を、低周波信号の周波数よりも高い周波数を有する中間周波信号に変換する６１６ことと、次に、第２のネットワークノードにおいて、中間周波信号の周波数よりも高い周波数を有する高周波信号に変換するために、ツイストペア線２３を備える通信チャネルを介して中間周波信号を第２のネットワークノードへ送信する６２２こととを含む。
【００４９】
一実施形態（図６も参照）によれば、第１のネットワークノード１１は、ツイストペア線を備える別々の通信チャネルを介して、複数の第２のネットワークノード２２１、２３１、２４１に中間周波信号を送信するように配置されており、各通信チャネルにより、複数の第２のネットワークノードの一つが第１のネットワークノードに接続されている。この実施形態では、本方法は、ツイストペア線を備える通信チャネルの伝送品質を推定する６１２ことと、第１の推定伝送品質を有する第１の通信チャネルに、第１の推定伝送品質よりも高い第２の推定伝送品質を有する第２の通信チャネルよりも低い中間周波数が割り当てられるように、推定伝送品質に基づいて通信チャネルに中間周波数を割り当てる６１４こととを含むことができる。その後、低周波信号は通信チャネルに割り当てられた周波数の中間周波信号に変換６１６され、中間周波信号は割り当てられた中間周波数で第２のネットワークノードに送信６２２される。
【００５０】
別の実施形態によれば、本方法はさらに、任意の数の通信チャネルのツイストペア線が同じケーブルバインダに配置されていることを検出することと、同じケーブルバインダに配置されているツイストペア線を有する任意の数の通信チャネルにのみ異なる中間周波数を割り当てる６１４こととを含む。さらに、本方法は、任意の数の通信チャネルのツイストペア線が同じケーブルバインダに配置されていることを、通信チャネル間のクロストークレベルを検出することによって検出することができる。
【００５１】
さらに別の実施形態によれば、本方法はさらに、ツイストペア線を介する周波数依存減衰を推定する６１８ことと、受信信号に対して、推定された周波数依存減衰を補正する６２０こととを含む。ツイストペア線を介する周波数依存減衰を推定する６１８ことは、受信した中間周波信号の周波数におけるパワースペクトル密度（ＰＳＤ）勾配を推定することによって完了させることができる。推定された勾配は、受信した中間周波数が入力される適応フィルタの特性を適応させることによって補正する６２０ことができる。
【００５２】
さらに別の実施形態によれば、本方法はさらに、ツイストペア線をそれぞれ備える別々の通信チャネルを介して第１のネットワークノードにそれぞれ接続されており、第２のネットワークノードが同じ高周波数を使用する複数のアンテナを有することを検出する６１１ことと、同じ中間周波数を別々の通信チャネルに割り当てる６１３こととを含む。これにより、同じ中間周波数を再利用することができ、他（バックホール化）の通信リンクのためにバンド幅が確保される。
【００５３】
図１１に、第１のネットワークノード１１をさらに詳しく示す。図２にすでに提示したデバイスに加えて、第１のネットワークノード１１は論理ユニット１２６と記憶ユニット１２８も備える。論理ユニット１２８はプロセッサであってよい。
【００５４】
一実施形態によれば、第１のネットワークノードは、ツイストペア線を介して第２のネットワークノードと通信を行うためにセルラーシステムに配置されている。第１のネットワークノードは、ツイストペア線を介して、第２のネットワークノードによって中間周波信号の周波数よりも高い周波数を有する高周波信号から変換された中間周波信号を第２のネットワークノードから受信する受信機１２３を備える。第１のネットワークノードは、中間周波信号を、中間周波信号の周波数よりも低い周波数を有する低周波信号に変換するダウンコンバータ１２１と、受信した低周波信号を、低周波信号の周波数よりも高い周波数を有する中間周波信号に変換するアップコンバータ（１２２）と、次に、第２のネットワークノードにおいて、中間周波信号の周波数よりも高い周波数を有する高周波信号に変換するために、ツイストペア線を介して、中間周波信号を第２のネットワークノードに送信する送信機（１２４）も備える。
【００５５】
別の実施形態によれば、ツイストペア線を備え、且つ複数の第２のネットワークノードのうちの一つを第１のネットワークノードにそれぞれ接続している別々の通信チャネルを介して、複数の第２のネットワークノード２２１、２３１、２４１（図６参照）へ／から中間周波信号を送信するために送信機１２４が配置され、受信するために受信機１２３が配置されている。さらに、第１のネットワークノードの論理ユニット１２６は、通信チャネルの伝送品質を推定し、第１の推定伝送品質を有する第１の通信チャネルに、第１の推定伝送品質よりも高い第２の推定伝送品質を有する第２の通信チャネルよりも低い中間周波数が割り当てられるように、推定伝送品質に基づいて通信チャネルに中間周波数を割り当てるように配置されている。
【００５６】
さらに別の実施形態によれば、論理ユニット１２６はさらに、任意の数の通信チャネルのツイストペア線が同じケーブルバインダに配置されていることを検出し、同じケーブルバインダに配置されているツイストペア線を有する任意の数の通信チャネルにのみ異なる中間周波数を割り当てるために配置されている。
【００５７】
さらに別の実施形態によれば、論理ユニット１２６は、通信チャネル間のクロストークレベルを検出することによって、任意の数の通信チャネルのツイストペア線が、同じケーブルバインダに配置されていることが検出されたことを検出するために配置されている。
【００５８】
さらに別の実施形態によれば、論理ユニット１２６はさらに、ツイストペア線をそれぞれ備える別々の通信チャネルを介して第１のネットワークノードにそれぞれ接続されている同じ高周波数を使用する複数のアンテナを第２のネットワークノードが有することを検出し、同じ中間周波数を別々の通信チャネルに割り当てるために配置されている。
【００５９】
別の実施形態によれば、論理ユニット１２６はさらに、ツイストペア線を介する周波数依存減衰を推定し、受信した中間周波信号について、推定した周波数依存減衰を補正するために配置されている。さらに、論理ユニット１２６は、受信した中間周波信号の周波数におけるパワースペクトル密度（ＰＳＤ）勾配を推定することによって、ツイストペア線を介する周波数依存減衰を推定するために配置されうる。論理ユニットに、又は別々のユニットとして配置されたＰＳＤ推定ユニットは、受信信号の周波数における勾配を推定し、例えばフィルタ係数等のそれ自体のフィルタ特性を適応する適応フィルタユニット１２９に推定結果を入力して推定勾配を補正するために配置されうる。適応フィルタユニット１２９は、受信した中間周波信号がフィルタユニット、例えば受信機１２３とダウンコンバータ１２１との間等を通して入力されるように配置されうる。代替実施形態によれば、論理ユニット１２６は、送信側においてツイストペア線を介する周波数依存減衰を推定し補正するために配置されうる。すなわちこの場合、送信すべき信号に事前補正が行われる。事前補正は、第１のネットワークノードにおいて、アップコンバータ１２２と送信機１２４との間に接続される事前補正ユニット、例えば適応フィルタユニットとして実現させることができる。さらに、論理ユニットは、第１のネットワークノードから第２のネットワークノードへ送られる信号に対し、ツイストペア線を介して減衰を推定するために、また推定された減衰にしたがって、事前補正ユニットのフィルタ特性を設定するために配置されうる。
【００６０】
第１のネットワークノードの記憶ユニット１２８は、論理ユニット１２６に接続されうる。記憶ユニットは、実施形態の方法の結果を記憶するために、例えば周波数割り当てスキーム、推定伝送品質等を記憶させるために配置されうる。
【００６１】
図１２は、一実施形態による第２のネットワークノード２１を示す。図２に関連して説明したエンティティ以外では、第２のネットワークノードは、例えば、第１のネットワークノードから受信した指示にしたがって第２のネットワークノードの他のエンティティが動くようにするための論理ユニット１３６と、例えば受信した指示を記憶するための記憶ユニット１３８とを備えうる。
【００６２】
第２のネットワークノード２１の論理ユニット１３６はさらに、ツイストペア線を介する周波数依存減衰を推定し、第１のネットワークノードから受信した中間周波信号に対し、推定された周波数依存減衰について補正するために配置することができる。さらに、論理ユニット１３６は、受信した中間周波信号の周波数におけるパワースペクトル密度（ＰＳＤ）勾配を推定することによって、ツイストペア線を介する周波数依存減衰を推定するために配置されうる。論理ユニットに、又は別々のユニットとして配置されるＰＳＤ推定ユニットは、受信信号の周波数における勾配を推定し、推定結果を、例えばフィルタ係数等のそれ自体のフィルタ特性を適応する適応フィルタユニット１３９に入力して推定された勾配について補正するように配置することができる。適応フィルタユニット１３９は、受信した中間周波信号が、フィルタユニット、例えば受信機１３４とアップコンバータ１３２との間で入力されるように配置されうる。代替実施形態によれば、第２のネットワークノード２１の論理ユニット１３６は、送信側においてツイストペア線を介する周波数依存減衰を推定し補正するために配置されうる。すなわちこの場合、送信すべき信号に事前補正が行われる。事前補正は、第２のネットワークノードにおいて、ダウンコンバータ１３１と送信機１３３との間に接続された例えば適応フィルタユニット等の事前補正ユニットとして実現することができる。さらに、論理ユニットは第２のネットワークノードから第１のネットワークノードに送られた信号に対し、ツイストペア線を介して減衰を推定し、推定された減衰にしたがって事前補正ユニットのフィルタ特性を設定するために配置されうる。
【００６３】
図１３は、一実施形態による、セルラーシステムでツイストペア線２３を介して第１のネットワークノード１１と第２のネットワークノード２１との間で通信を行う方法を示す。この方法は、第２のネットワークノードと第１のネットワークノードとの間のアップリンク通信を示す。この方法は、第２のネットワークノード２１において、無線インターフェースを介して受信した高周波信号を、高周波信号の周波数よりも低い周波数を有する中間周波信号に変換する７０２ことと、ツイストペア線を介して中間周波信号を第１のネットワークノードに送信する７０４こととを含む。本方法はさらに、第１のネットワークノード１１において、第２のネットワークノードから中間周波信号を受信する７０６ことと、受信した中間周波信号を、中間周波信号の周波数よりも低い周波数を有する低周波信号に変換する７０８こととを含む。
【００６４】
図１４は、一実施形態による、セルラーシステムでツイストペア線２３を介して第１のネットワークノード１１と第２のネットワークノード２１との間で通信を行う方法を示す。本方法は、第２のネットワークノードと第１のネットワークノードとの間のダウンリンク通信を示す。本方法は、第１のネットワークノード１１において、受信した低周波信号を、低周波信号の周波数よりも高い周波数を有する中間周波信号に変換する８０２ことと、ツイストペア線を介して、中間周波信号を第２のネットワークノードに送信する８０４こととを含む。本方法はさらに、第２のネットワークノード２１において、第１のネットワークノードから中間周波信号を受信する８０６ことと、受信した中間周波信号を、中間周波信号の周波数よりも高い周波数を有する高周波信号に変換する８０８こととを含む。
【００６５】
図２に戻ると、一実施形態は、第１のネットワークノード１１と第２のネットワークノード２１とを備えるセルラーシステムを示す。セルラーシステムは、ツイストペア線２３を介して第１のネットワークノードと第２のネットワークノードとの間で通信を行うために配置される。第１のネットワークノード１１は、ツイストペア線を介して、第２のネットワークノードから中間周波信号を受信する受信機１２３と、受信した中間周波信号を、中間周波信号の周波数よりも低い周波数を有する低周波信号に変換するダウンコンバータ１２１とを備える。第１のネットワークノードはさらに、低周波信号を、低周波信号の周波数よりも高い周波数を有する中間周波信号に変換するアップコンバータ１２２と、ツイストペア線を介して、中間周波信号を第２のネットワークノードへ送信する送信機１２４とを備える。第２のネットワークノード２１は、ツイストペア線を介して、第１のネットワークノードから中間周波信号を受信する受信機１３４と、受信した中間周波信号を、低周波信号の周波数よりも高い周波数を有する高周波信号に変換するアップコンバータ１３２とを備える。第２のネットワークノードはさらに、高周波信号を、高周波信号の周波数よりも低い周波数を有する中間周波信号に変換するダウンコンバータ１３１と、ツイストペア線を介して、中間周波信号を第２のネットワークノードに送信する送信機１３３とを備える。
【００６６】
いくつかの状況における説明はマクロＢＳと通信を行うピコＢＳについて論じているが、説明した解決策は、第１の種類のＢＳによってカバーされる狭い範囲の地理的領域よりも広い地理的領域をカバーする第２の種類のＢＳと通信を行う狭い範囲の地理的領域をカバーする第１の種類のＢＳのいずれにも適用可能である。例えば、第１の種類のＢＳは、マクロＢＳである第２の種類のＢＳと通信を行うマイクロＢＳであってよい。別の例として、第１の種類のＢＳは、ピコＢＳ、又はマイクロＢＳ又はマクロＢＳである第２の種類のＢＳと通信を行うフェムトＢＳであってよい。
【００６７】
さらに、上記のシナリオでは、第１の基地局は一又は複数の第２の基地局と通信を行う。ツイストペア線が第２ＢＳから第１ＢＳまでずっと続いていない可能性もある。図１５は、ツイストペア線を介して任意の数の第２ＢＳ  ３２１、３３１、３４１から送られるＩＦ信号が集中型ＢＳ１  ３１１において終端されるシナリオを示す。集中型ＢＳ１  ３１１は次に、ＩＰバックホールリンクとネットワークノード３０１、例えばマクロＲＢＳ等を介してコアネットワークに接続される。第２ＢＳ  ３２１、３３１、３４１は次に、集中型ＢＳ３１１によって完全に調整可能であるが、マクロＢＳと（ピコＢＳでありうる）第２ＢＳ  ３２１、３３１、３４１との間の低レベルの調整はＩＰバックホールリンクを介して行うことができる。この場合、ＢＳ１はマクロＲＢＳでないことに留意されたい。
【００６８】
図１６は、任意の数の第２ＢＳ  ４２１、４３１、４４１から送られたＩＦ信号が、変換ユニット４１１が終端とされる別のシナリオを示す。変換ユニットは、信号をベースバンドに変換するように配置される。変換ユニット４１１は、変換ユニット４１１をマクロＢＳ４０１又は集中型ＢＳに接続させる多数のリンクから少ないリンク、この場合一信号バックホールリンク、例えばＣＰＲＩ又はファイバリンクへ情報を集約させるように配置されることもできる。
【００６９】
ツイストペア線は銅でできていてよい。
【００７０】
解決策を特定の例示の実施形態を参照して説明してきたが、この説明は概して本発明の概念を示すことを意図するのみであり、本解決策の範囲を限定するものとして解釈すべきでない。この解決策は添付の特許請求の範囲によって定義される。
【図１】
0005933832.tif 000002
【図２】
0005933832.tif 000003
【図３】
0005933832.tif 000004
【図４】
0005933832.tif 000005
【図５】
0005933832.tif 000006
【図６】
0005933832.tif 000007
【図７】
0005933832.tif 000008
【図８】
0005933832.tif 000009
【図９】
0005933832.tif 000010
【図１０】
0005933832.tif 000011
【図１１】
0005933832.tif 000012
【図１２】
0005933832.tif 000013
【図１３】
0005933832.tif 000014
【図１４】
0005933832.tif 000015
【図１５】
0005933832.tif 000016
【図１６】
0005933832.tif 000017